(57)【要約】      （修正有）【課題】遊園地や遊戯施設等において、入場者が各種の施設やサービスを利用する際に、キャッシュレスの決済手段として使用されるＩＣを内蔵させたコイン等を装着したリストバンド及びサウナ等において使用されるリストバンド等であって、ワンタッチで簡単、かつ迅速に手首に着脱できるリストバンド等を提供する。【解決手段】手首の表面に当てる装着部６と、この装着部の両端より延長された細巾のバンド部２，２Ａと、この一方のバンド部の端部に一体形成された係止環部３とからなり、他方のバンド部は、所定間隔で係合穴４を持ち、前記係止環部は、挿通孔３Ａと、挿通孔の脇部から突出した弾力性のある係合突起３Ｂとを有し、この係合突起はその先端が挿通孔の上方に屈曲又は傾斜して形成されてなるリストバンド１。【選択図】        図１
2004242904.tif 000002
【特許請求の範囲】
【請求項１】
手首の表面に当てる装着部６と、この装着部６の両端より延長された細巾のバンド部２，２Ａと、この一方のバンド部２Ａの端部に一体形成された係止環部３とからなり、他方のバンド部２は、所定間隔で係合穴４を持ち、前記係止環部３は、挿通孔３Ａと、挿通孔３Ａの脇部から突出した弾力性のある係合突起３Ｂとを有し、この係合突起３Ｂはその先端が挿通孔３Ａの上方に屈曲又は傾斜して形成されてなるリストバンド。
【請求項２】
前記一方のバンド部２Ａに、第２の係合穴４Ａを形成してなる請求項１記載のリストバンド。
【請求項３】
手首の表面に当てる拡大部と、この拡大部の両端より延長された細巾のバンド部２，２Ａと、この一方のバンド部２Ａの端部に一体形成された係止環部３とからなり、前記拡大部にはスリットを形成するとともに、このスリットに出入り自在な鍵を挟着し、前記他方のバンド部２は、所定間隔で係合穴４を持ち、前記係止環部３は、挿通孔３Ａと、挿通孔３Ａの脇部から突出した弾力性のある係合突起３Ｂとを有し、この係合突起３Ｂはその先端が挿通孔３Ａの上方に屈曲又は傾斜して形成されてなるリストバンド。
【請求項４】
前記一方のバンド部２Ａに、突起部５を形成してなる請求項１乃至３記載のリストバンド。
【請求項５】
前記装着部６にＩＣコインを装着してなる請求項１，２又は４記載のリストバンド。
【請求項６】
請求項１，２又は４記載のリストバンドに装着するためのＩＣコイン内蔵体であって、ＩＣコインを内蔵する本体８Ａと、この本体の両端部に形成したスリット８Ｂと、本体の両端部より伸長する脚部８Ｃと、これら脚部の先端部に形成した係止突起８Ｄとを有してなるＩＣコイン内蔵体。
【請求項７】
請求項１，２又は４記載のリストバンドに装着するための鍵挟着体であって、鍵を挟着するスリット９Ｅを形成する本体９Ａと、この本体の両端部に形成したスリット９Ｂと、本体９Ａの両端部より伸長する脚部９Ｃと、これら脚部の先端部に形成した係止突起９Ｄとを有してなる鍵挟着体。
【発明の詳細な説明】
【０００１】
【発明の属する技術分野】
本発明は、遊園地や遊戯施設等において、入場者が各種の施設やサービスを利用する際に、キャッシュレスの決済手段として使用されるＩＣを内蔵させたコイン等を装着したリストバンド及びサウナ等において使用されるリストバンド等の改良に関する。
【０００２】
【従来の技術】
多数の人々が入場する各種の遊園地、遊戯施設、レジャーランドあるいはイベント会場等において多数の人々がこれらの会場を出入りする。これら入場者が、有料の各種の施設やサービスを利用する際には、それに応じて決済を行なう必要がある。かっては、これは各施設やサービスを利用する都度、現金を授受することによって、行なうことが多く、また一部には会場入場時に予め了見利用券のセットを購入しておき、利用の都度、所定の利用券を切り離して渡す方式が採用されてきた。
【０００３】
しかし、最近は、一般に各種電子回路を有するＩＣ等の普及に伴って、入場時に渡し、退場時に回収するリストバンドに装着したＩＣチップを内装したＩＣコイン等情報機器ないし情報端末を、決済の媒体として使用する方法が、迅速、簡単かつ省力的な決済方式として、採用されることが増加してきた（例えば、特許文献１及び２参照）。
【０００４】
その代表例は、図６（Ａ），（Ｂ）に示すＩＣコインを装着した合成樹脂製リストバンド１０の使用であるが、これは廉価な合成樹脂材料により射出成形で一体的に製作され、簡単に低コストで大量に生産できる点に優位性がある。
【０００５】
このリストバンド１０は、細巾のバンド部１１と、バンド部１１の一端に形成された挿通孔１２Ａを開けた環部１２からなり、バンド部１１の他端には巾を狭めた先細部１１Ａを形成している。そして、バンド部１１の環部１２寄りの部分に複数の係合突起１３を所定のピッチで形成し、先細りの先端寄りの部分には、係合突起１３と同じピッチで複数の係合穴１４を形成している。
【０００６】
１５は、ＩＣコインを内蔵したＩＣコイン内蔵体であり、図の上下方向にフレーム１５Ａ，１５Ａを突出し、フレーム１５Ａ，１５Ａと内蔵体１５本体の間にスリット１５Ｂ，１５Ｂを形成している。このスリット１５Ｂ，１５Ｂにバンド部１１を通すことによって、ＩＣコイン内蔵体１５はリストバンド１０に取り付けられる。
【０００７】
ＩＣコイン内蔵体１５を装着したリストバンド１０は、会場入場時に受付窓口で入場者に手渡されて手首に装着され、退場時に手首から外されて回収される。
【０００８】
手首に装着する際は、バンド部１１の先細部１１Ａを環部１２の挿通孔１２Ａに挿通してバンド部１１のループを形成し、このループに手首を通した上、挿通孔１２Ａから外へ出たバンド部１１部分を引き絞ってループを縮小して手首に合わせから、少なくとも１つの係合穴１４に、適合し合う少なくとも１つの係合突起１３を押し込むようにして係合させて固定する。
【０００９】
リストバンド１０を手首から取り外す際は、先細部１１Ａを手首の周方向で外側に引っ張って、係合穴１４への係合突起１３の係合を解除してから、バンド部１１の先細部１１Ａを環部１２の挿通孔１２Ａから抜き取って取り外す。
【００１０】
ＩＣコイン内蔵体１５に内蔵されるコイン内のＩＣチップには、料金支払い残高（前払いの場合）、施設利用状況、支払うべき料金等が、入力・記憶され、これによって会場退場時に、未決済料金の支払いや超過支払い料金の払い戻し等の清算が行なわれる。
【００１１】
ＩＣ用のリストバンド１０は、手首に装着すると確実に身につけることができ、紛失、盗難の心配がなく、また使用時には、一々ポケットやハンドバッグを探って出し入れすることなく、直ちに提示できる利点がある。
【００１２】
次に、上記のリストバンド１０と類似な構造、機能を持つものとして、サウナ施設等において使用される、図７に示す鍵装着用のリストバンド２０がある。
【００１３】
このリストバンド２０は、ゴム製又は塩化ビニール製であって、厚さが３ｍｍ前後の帯状であり、脱衣室等のロッカーを施錠する鍵２４Ｂを装着するものである。
【００１４】
リストバンド２０は、細巾のバンド部２１と、バンド部２１の一端にバックル２２を持ち、バンド部１１の他端には巾を狭めた先細部２１Ａを形成している。バックル２２は、環部２２Ａと針部２２ＢＡからなり、バンド部２１は、その先細部２１Ａ寄りの部分には所定のピッチで複数の小孔２３を形成しているほか、小孔２３形成部分以外の部分に軽量化、材料節約及び発汗のための穴が適宜開口している。
【００１５】
略中央には、幅広な拡大部２４が形成され、この部分は、左右両側とも開口するように、その全幅にスリット２４Ｃが形成されている。
【００１６】
そして、スリット２４Ｃの一方の開口部の縁近辺にその表裏両面を貫通する鳩目２４Ａ等の連結具が取付けられ、この鳩目２４Ａに鍵２４Ｂの頭部の穴が軸支され、鍵２４Ｂは拡大部２４に挟着される。鍵２４Ｂは、鳩目２４Ａを軸として回転することによって、先端部が出し入れ自在になっているので、リストバンド２０を身につける時には、鍵２４Ｂをスリット２４Ｃの内に収納しておく。
【００１７】
これは、金属製である鍵２４Ｂがサウナによって加熱されて、装着者を傷めることを防止するためである。鍵２４Ｂを使用する時は、他方の開口部から指を差し入れて鍵２４Ｂをスリット２４Ｃの外へ押し出す。
【００１８】
このリストバンド２０を手首に装着する際は、バンド部２１の先細部２１Ａをバックル２４の環部２２Ａに挿入してバンド部２１のループを形成し、このループに手首を通した上、先細部２１Ａを引き絞ってループを縮小して手首に合わせから、適当な位置の小孔２３に、針部２２Ｂを挿入して固定する。
【００１９】
サウナ用の鍵装着用のリストバンド２０も、装着すると確実に身につけることができ、紛失、盗難や他人のものと取り間違える等の事故の心配がない。
【００２０】
【特許文献１】
特開２００２−１５７６１５  号公報（特願２０００−３５５５４２  ）
【特許文献２】
特開平０７−１３４７８４  号公報（特願平０５−２７９８７０  ）
【００２１】
【発明が解決しようとする課題】
しかしながら、上記のリストバンド１０、２０には、手首に装着しにくいという難点がある。
【００２２】
すなわち、ＩＣ用のリストバンド１０を手首に装着するには、上述したように、バンド部１１の先細部１１Ａを環部１２の挿通孔１２Ａに挿通してバンド部１１のループを形成し、このループに手首を通した上、挿通孔１２Ａから外に出たバンド部１１部分を引き絞ってループを縮小して手首に合わせから、少なくとも１つの係合穴１４に、適合し合う少なくとも１つの係合突起１３を押し込むようにして係合させて固定する必要がある。
【００２３】
しかしながら、挿通孔１２Ａに挿通したバンド部１１を引き絞ってループを縮小して手首に合わせ後、係合穴１４に係合突起１３を押し込もうとする段階で引き絞った力を緩めると、ループ状に引き絞られたバンド部１１の復元力ないし反発力でループが拡大してバンド部１１に緩みを生じるので、適切な係合穴１４に係合突起１３を押し込むことが相当困難であり、人の助けを必要とすることが多い。特に、児童の場合、自身で装着することは、全く不可能である。
【００２４】
腕時計の場合のように、十分なめされた柔軟に富む革バンドとは異なり、合成樹脂製のリストバンド１０の物性上の制約は、上記のリストバンド１０の構造では如何ともしがたいものがある。
【００２５】
サウナ用のリストバンド２０は、ゴム製または塩化ビニール製であるが、装着の困難性については、上記の合成樹脂製のＩＣ用リストバンド１０の場合と略同様である。
【００２６】
【課題を解決するための手段】
上記の課題を解決するための本発明のリストバンドは、手首の表面に当てる装着部と、この装着部の両端より延長された細巾のバンド部と、この一方のバンド部の端部に一体形成された係止環部とからなり、他方のバンド部は、所定間隔で係合穴を持ち、前記係止環部は、挿通孔と、挿通孔の脇部から突出した弾力性のある係合突起とを有し、この係合突起はその先端が挿通孔の上方に屈曲又は傾斜して形成されてなることを特徴とする。
【００２７】
また、本発明のリストバンドは、前記一方のバンド部に、第２の係合穴を形成してなることを特徴とする。
【００２８】
また、本発明の第２のリストバンドは、手首の表面に当てる拡大部と、この拡大部の両端より延長された細巾のバンド部と、この一方のバンド部の端部に一体形成された係止環部とからなり、前記拡大部にはスリットを形成するとともに、このスリットに出入り自在な鍵を挟着し、前記他方のバンド部は、所定間隔で係合穴を持ち、前記係止環部は、挿通孔と、挿通孔の脇部から突出した弾力性のある係合突起とを有し、この係合突起はその先端が挿通孔の上方に屈曲又は傾斜して形成されてなることを特徴とする。
【００２９】
また、これらリストバンドの一方のバンド部に、突起部を形成してなることを特徴とする。
【００３０】
また、これらリストバンドの装着部にＩＣコインを装着してなることを特徴とする。
【００３１】
次に、本発明の、上記リストバンドに装着するためのＩＣコイン内蔵体は、ＩＣコインを内蔵する本体と、この本体の両端部に形成したスリットと、本体の両端部より伸長する脚部と、これら脚部の先端部に形成した係止突起とを有してなることを特徴とする。
【００３２】
更に、本発明の、上記リストバンドに装着するための鍵挟着体は、鍵を挟着するスリットを形成する本体と、この本体の両端部に形成したスリットと、本体の両端部より伸長する脚部と、これら脚部の先端部に形成した係止突起とを有してなることを特徴とする。
【００３３】
【発明の実施の形態】
（１）先ず、図面を参照して、本発明のリストバンドの実施の形態を説明する。
【００３４】
リストバンド１は、柔軟性と弾力性のある合成樹脂、例えばポリエステル・エラストマーの射出成形で簡単かつ廉価に製作され、図１（Ａ），（Ｂ）に示すように、細巾の長短のバンド部２，２Ａと、一方のバンド部２Ａの一端に形成された挿通孔３Ａと係合突起３Ｂとを持つ係止環部３と、バンド部２，２Ａの間に幅広に拡大して形成された薄板状の装着部６とからなり、バンド部２の他端には巾を狭めた先細部２Ａを形成している。
【００３５】
そして、他方のバンド部２の先細部２Ａ寄りの部分から装着部６寄りの部分まで、複数の係合穴４が所定のピッチ、かなり密なピッチで形成されると共に、係止環部３寄りの部分に１つの第２の係合穴４Ａと突起部５が形成されている。
【００３６】
上記の係合突起３Ｂは、図２（Ａ），（Ｂ）に明確に示されるように、挿通孔３Ａの内側（装着部６寄り）の脇部から植立し、バンド部２Ａの外側方向に略Ｊ形に傾斜ないしは屈曲し、その先端部は、挿通孔３Ａの上方を覆い挿通孔３Ａの外側の脇部上に達するように、挿通孔３Ａの外側の内壁よりやや外側に張り出している。この係合突起３Ｂは、バンド部２，２Ａと同じ弾力性を有している。また、挿通孔３Ａの外側の内壁は、係合突起３Ｂに接近するように傾斜している。
【００３７】
前記の装着部６は、その厚さを減少して表面側に凹部６Ａが形成されて、この凹部６Ａ内に、後述するＩＣコイン内蔵体及び鍵挟着体の本体が、納まり良く取り付けられるように配慮されている。
【００３８】
このリストバンド１を手首に装着する時は、バンド部２の先細部２Ｂを係止環部３の挿通孔３Ａに挿通して挿通孔３Ａから外に出たバンド部２部分を引っ張り、次にこの引っ張りを止めると、自動的にバンド部２が係止環部３に係合するので、迅速、かつ簡単に手首に装着することが可能である。
【００３９】
この一連の動きを、やや詳細に説明する。即ち、バンド部２の先細部２Ｂを係止環部３の挿通孔３Ａに挿通してバンド部２、２Ａのループを形成し、このループに手首を通した上、挿通孔３Ａから外に出たバンド部２部分を引き絞ると、バンド部２は、更に係合突起３Ｂを後方に反らせながら押圧しつつ通過して、挿通孔３Ａから引き出され、ループは手首の太さまでは縮小する。
【００４０】
バンド部２が係合突起３Ｂを押圧しつつ通過する際、係合突起３Ｂは係合穴４に対しラチェットのように作用する。ループが手首を適宜締付ける太さにまで縮小した時、バンド部２の引き絞りを止め力を緩めると、ループは自然拡大しようとして、挿通孔３Ａを通過したバンド部２が、挿通孔３Ａ内を戻ろうとする運動を生じる。すると、係合突起３Ｂを通過した直近の係合穴４が係合突起３Ｂに嵌まり込み、係合突起３Ｂを挿通孔３Ａ方向に引っ張る。その結果、係合突起３Ｂは、挿通孔３Ａの外側の脇部に当接して、リストバンド１は手首に固定される。
【００４１】
なお、挿通孔３Ａの外側の内壁の傾斜は、挿通孔３Ａを通過したバンド部２を、内側、即ち係合突起３Ｂ方向に向かわせるように作用するので、係合突起３Ｂがバンド部２の係合穴４に、自然に、強く嵌合することができる。
【００４２】
また、挿通孔３Ａの外に引き出された先細部２Ｂ側のバンド部２は、ループから遠ざかる方向に突き出た状態であるので、そのままでは収まりが良くない。
【００４３】
従って次に、この部分を、手首に固定されたバンド部２Ａの突起部５に対し押圧すると、この突起部５に対応する位置にある係合穴４に突起部５が係合する。
【００４４】
この突起部５は、係合突起３Ｂの或る係合穴４に係合突起３Ｂが嵌合状態である時、その係合穴４から所定の距離にある係合穴４に対応する位置に設けられているので、押圧によって突起部５はこの係合穴４に係合することができるのである。
【００４５】
これによって、先細部２Ｂ側のバンド部２を、ループに沿って手首の回りに納まり良く密着して保持することができる。
【００４６】
次に、リストバンド１を手首から取り外す際は、バンド部２の先細部２Ｂの付近の部分を、手首の外方向に引っ張ると、係合穴４への突起部５の係合が解除され、更に係止環部３係合突起３Ｂから係合していた係合穴４が外れる。そこで、係合突起３Ｂが次以降の係合穴４に嵌まらないように、バンド部２を、係合突起３Ｂから遠ざけるように反らせながら、挿通孔３Ａ内を滑らせループを拡大して緩めると、リストバンド１を手首から、簡単に取り外すことができる。
（２）次に、本発明に係る、ＩＣコインを前記リストバンド１に装着する手段について、説明する。
【００４７】
ＩＣコイン８Ｅは、図３（Ａ），（Ｂ）に示されたＩＣコイン内蔵体８に、埋め込み式又は脱着可能式で、取り付けられる。
【００４８】
即ち、この内蔵体８は、柔軟性と弾力性のある合成樹脂、例えばポリエステル・エラストマーの射出成形で簡単かつ廉価に製作され、中央に形成された広幅の薄板状の本体８Ａ部分にＩＣコイン８Ｅが取り付けられており、その両端の際にスリット８Ｂ，８Ｂが形成され、更にスリット８Ｂ，８Ｂの両端から外側に伸長する細幅帯状の脚部８Ｃ，８Ｃが形成されている。脚部８Ｂ，８Ｃは、その先端部に係止突起８Ｄ，８Ｄが形成され、中間部には軽量化及び材料節約のため適宜穴を形成している。
【００４９】
ＩＣコイン内蔵体８を、リストバンド１に取り付けるには、図４（Ａ），（Ｂ）に示されるように、内蔵体８のスリット８Ｂ，８Ｂに、リストバンド１のバンド部２を先細部２Ａから挿通し、内蔵体本体８Ａをリストバンド１の装着部６に位置させ、内蔵体８の脚部８Ｂ，８Ｃの係止突起８Ｄ，８Ｄを、バンド部２の装着部６に直近の係合穴４とバンド部２Ａの第２の係合穴４Ａに係止する。
【００５０】
この時、装着部６に形成された凹部６Ａに、内蔵体本体８Ａが納まりよく収容されることになるので、リストバンド１を手首に巻いた時、内蔵体本体８Ａが外方向に出っ張って邪魔になることを避けることができる。
【００５１】
この内蔵体８は、極めて容易、かつ迅速に、リストバンド１に着脱できる。
【００５２】
なお、この実施の形態以外に、ＩＣコイン内蔵体８を別に設けず、リストバンド１の装着部６に直接的に、ＩＣコインを埋め込み式又は脱着可能式で取り付ける形態もある。
【００５３】
その場合には、ＩＣコイン内蔵体８を取り付ける必要がないので、装着部６の凹部６Ａやバンド部２Ａの第２の係合穴４Ａは、不要になる。
（３）更に、本発明に係る、上記リストバンド１にサウナ用の鍵を装着する手段について、説明する。
【００５４】
鍵９Ｈは、図５に示された鍵挟着体９に挟着されている。
【００５５】
即ち、この挟着体９は、柔軟性と弾力性のある合成樹脂、例えばポリエステル・エラストマーの射出成形で簡単かつ廉価に製作され、中央に形成された広幅の薄板状の本体９Ａの両端の際にスリット９Ｂ，９Ｂが形成され、更にスリット９Ｂ，９Ｂの外側に細幅帯状の脚部９Ｃ，９Ｃが突出して形成されている。脚部９Ｃ，９Ｃは、その端部に係止突起９Ｄ，９Ｄが形成され、中間部に軽量化及び材料節約のため適宜穴を開口している。
【００５６】
挟着体９の本体９Ａは、左右両側とも開口するように、その全幅にスリット９Ｅが形成されている。
【００５７】
そして、スリット９Ｅの一方の開口部の縁の一部で、一方の端部寄り（図５では下端寄り）の部分を外側方向に突出させ、この突出部９Ｆの根元部分にその表裏両面を貫通する鳩目９Ｇ等の連結具が取付けられ、この鳩目９Ｊに鍵９Ｈの頭部の穴が軸支されて、鍵９Ｈは挟着体本体９Ａに挟着されている。鍵９Ｈは、鳩目９Ｇを軸として回転することによって、先端部が出し入れ自在になっている。
【００５８】
鍵挟着体９を、リストバンド１に取り付ける方法は、上述したＩＣコイン内蔵体８の場合と、全く同じ方法が適用されるので、説明を省略する。
【００５９】
この挟着体９は、極めて容易、かつ迅速に、リストバンド１に着脱できる。
【００６０】
なお、この実施の形態以外に、鍵挟着体９を別に設けず、リストバンド１の装着部６に直接的に、鍵を取り付ける形態もある。
【００６１】
この場合、リストバンドにおいては、上記のリストバンド１の装着部６の構造に代えて、前述した従来のサウナ用リストバンド２０の、鍵を出し入れ自在に装着する拡大部２４の構造を、そのままリストバンド１に適用して組み合わせればよい。この場合には、鍵挟着体９を取り付ける必要がないので、バンド部２Ａの第２の係合穴４Ａは、不要になる。  このリストバンドも、柔軟性と弾力性のある合成樹脂、例えばポリエステル・エラストマーの射出成形で、簡単かつ廉価に製作される。
【００６２】
【発明の効果】
以上のように構成された本発明に係るリストバンドは、装着者が、自身の手首にワンタッチで簡単、迅速かつ確実に装着することができ、特に小児でも自分だけで装着することができる。
【００６３】
また、このリストバンドは、使用後には、装着者が、その手首から、ワンタッチで簡単、かつ迅速に取り外すことができる。
【００６４】
また、このリストバンドは、ＩＣコイン装着体及び鍵挟着体を装着する際、納まりよく装着することができる。
【００６５】
更に、本発明のＩＣコイン装着体及び鍵挟着体は、ワンタッチで簡単、迅速かつ確実に前記リストバンドに着脱することができる。
【図面の簡単な説明】
【図１】（Ａ）本発明のリストバンドの平面図である。
（Ｂ）本発明のリストバンドの底面図である。
【図２】（Ａ）図１（Ａ）のＡ−Ａ線矢視断面図である。
（Ｂ）図２（Ａ）のＢ−Ｂ線矢視断面・拡大図である。
【図３】（Ａ）本発明のＩＣコイン内蔵体の平面図である。
（Ｂ）本発明のＩＣコイン内蔵体の底面図である。
【図４】（Ａ）本発明のリストバンドにＩＣコイン内蔵体を装着した平面図である。
（Ｂ）本発明のリストバンドにＩＣコイン内蔵体を装着した底面図である。
【図５】本発明の鍵挟着体の平面図である。
【図６】（Ａ）従来のＩＣ用のリストバンドの平面図である。
（Ｂ）従来のＩＣ用のリストバンドの底面図である。
【図７】従来のサウナ用のリストバンドの平面図である。
【符号の説明】
１  リストバンド      ２、２Ａ  バンド部      ２Ｂ  先細部
３  係止環部      ３Ａ  挿通孔      ３Ｂ  係合突起      ４  係合穴
４Ａ  第２の係合穴      ５  突起部      ６  装着部
８  ＩＣコイン内蔵体
９  鍵挟着体
１０  ＩＣコイン用リストバンド（従来の）
２０  サウナ用リストバンド（従来の）
【図１】
2004242904.tif 000003
【図２】
2004242904.tif 000004
【図３】
2004242904.tif 000005
【図４】
2004242904.tif 000006
【図５】
2004242904.tif 000007
【図６】
2004242904.tif 000008
【図７】
2004242904.tif 000009